(57)【要約】【課題】ＰＤＰにおける輝度の向上、及びコントラスト（特に明室コントラスト）の向上を実現できる技術を提供する。【解決手段】本ＰＤＰは、セルを視点側から見た平面における当該セルの開口部の構造に関して、セルのピッチ面積Ｓpitchと、セルの開口部の面積Ｓcellとを用いて、第１の開口率（セル開口率）Ａcell＝Ｓcell／Ｓpitchとしたとき、例えば、［０．２５≦Ａcell≦０．５５］（条件１−２）、を特徴とする。セル開口率（Ａcell）を低減し、発光効率（ηmd）の低減以上にパネル反射率（β）を低減させることにより基本発光効率（ηfn）を向上させる。【選択図】図４
2011003317.tif 000002
【特許請求の範囲】
【請求項１】
放電ガスが封入された放電空間が形成される基板構造体と、前記放電空間で隔壁により区画される複数のセルと、前記隔壁間に形成される蛍光膜と、前記放電空間に隣接する誘電体層と、前記セルに電圧を印加するための電極と、を有するプラズマディスプレイパネルであって、
前記セルを視点側から見た平面における当該セルの開口部の構造に関して、
前記セルのピッチ面積Ｓpitchと、前記セルの開口部の面積Ｓcellとを用いて、
第１の開口率Ａcell＝Ｓcell／Ｓpitchとしたとき、
［０．２５≦Ａcell≦０．５５］、を特徴とするプラズマディスプレイパネル。
【請求項２】
請求項１記載のプラズマディスプレイパネルにおいて、
［０．２５≦Ａcell≦０．４６］、を特徴とするプラズマディスプレイパネル。
【請求項３】
放電ガスが封入された放電空間が形成される基板構造体と、前記放電空間で隔壁により区画される複数のセルと、前記隔壁間に形成される蛍光膜と、前記放電空間に隣接する誘電体層と、前記セルに電圧を印加するための電極と、を有するプラズマディスプレイパネルであって、
前記セルを視点側から見た平面における当該セルの開口部の構造に関して、
前記セルの開口部の垂直方向の長さＣｙと水平方向の長さＣｘとを用いて、
アスペクト比ＡＲ＝Ｃｙ／Ｃｘとしたとき、
［１．３５≦ＡＲ≦２．９２］、を特徴とするプラズマディスプレイパネル。
【請求項４】
請求項３記載のプラズマディスプレイパネルにおいて、
［１．３８≦ＡＲ≦２．５６］、を特徴とするプラズマディスプレイパネル。
【請求項５】
放電ガスが封入された放電空間が形成される基板構造体と、前記放電空間で隔壁により区画される複数のセルと、前記隔壁間に形成される蛍光膜と、前記放電空間に隣接する誘電体層と、前記セルに電圧を印加するための電極と、を有するプラズマディスプレイパネルであって、
前記セルを視点側から見た平面における当該セルの開口部の構造に関して、
前記セルのピッチ面積Ｓpitchと、前記セルの開口部の面積Ｓcellと、前記セルの開口部の面積Ｓcellから当該開口部の上に重なる不透明部の面積を差し引いた面積Ｓpanelとを用いて、
第２の開口率Ａpanel＝Ｓpanel／Ｓpitchとしたとき、
［０．１４≦Ａpanel≦０．４５］、を特徴とするプラズマディスプレイパネル。
【請求項６】
請求項５記載のプラズマディスプレイパネルにおいて、
［０．１４≦Ａpanel≦０．３５］、を特徴とするプラズマディスプレイパネル。
【請求項７】
請求項１〜６のいずれか一項に記載のプラズマディスプレイパネルにおいて、
前記セルの開口部は、四方をボックス型の隔壁により囲まれて成る構造であり、
前記電極として、前記セルの開口部の上に配置される不透明電極を有すること、を特徴とするプラズマディスプレイパネル。
【請求項８】
請求項１〜７のいずれか一項に記載のプラズマディスプレイパネルにおいて、
前記隔壁の表面の拡散反射率が２０％以下であること、を特徴とするプラズマディスプレイパネル。
【請求項９】
放電ガスが封入された放電空間が形成される基板構造体と、前記放電空間で隔壁により区画される複数のセルと、前記隔壁間に形成される蛍光膜と、前記放電空間に隣接する誘電体層と、前記セルに電圧を印加するための電極と、を有するプラズマディスプレイパネルであって、
前記セルの開口部は、四方をボックス型の隔壁により囲まれて成る構造であり、
前記隔壁の表面の拡散反射率が１０％以下であり、
前記セルを視点側から見た平面における当該セルの開口部の構造に関して、
前記セルのピッチ面積Ｓpitchと、前記セルの開口部の面積Ｓcellとを用いて、
第１の開口率Ａcell＝Ｓcell／Ｓpitchとしたとき、
［０．２４≦Ａcell≦０．５９］、を特徴とするプラズマディスプレイパネル。
【請求項１０】
請求項９記載のプラズマディスプレイパネルにおいて、
［０．２４≦Ａcell≦０．５０］、を特徴とするプラズマディスプレイパネル。
【請求項１１】
放電ガスが封入された放電空間が形成される基板構造体と、前記放電空間で隔壁により区画される複数のセルと、前記隔壁間に形成される蛍光膜と、前記放電空間に隣接する誘電体層と、前記セルに電圧を印加するための電極と、を有するプラズマディスプレイパネルであって、
前記セルを視点側から見た平面における当該セルの開口部の構造に関して、
前記セルの開口部の垂直方向の長さＣｙと水平方向の長さＣｘとを用いて、
アスペクト比ＡＲ＝Ｃｙ／Ｃｘとしたとき、
［１．３０≦ＡＲ≦２．９２］、を特徴とするプラズマディスプレイパネル。
【請求項１２】
請求項１１記載のプラズマディスプレイパネルにおいて、
［１．３３≦ＡＲ≦２．７０］、を特徴とするプラズマディスプレイパネル。
【請求項１３】
放電ガスが封入された放電空間が形成される基板構造体と、前記放電空間で隔壁により区画される複数のセルと、前記隔壁間に形成される蛍光膜と、前記放電空間に隣接する誘電体層と、前記セルに電圧を印加するための電極と、を有するプラズマディスプレイパネルであって、
前記セルを視点側から見た平面における当該セルの開口部の構造に関して、
前記セルのピッチ面積Ｓpitchと、前記セルの開口部の面積Ｓcellと、前記セルの開口部の面積Ｓcellから当該開口部の上に重なる不透明部の面積を差し引いた面積Ｓpanelとを用いて、
第２の開口率Ａpanel＝Ｓpanel／Ｓpitchとしたとき、
［０．１４≦Ａpanel≦０．４６］、を特徴とするプラズマディスプレイパネル。
【請求項１４】
請求項１３記載のプラズマディスプレイパネルにおいて、
［０．１４≦Ａpanel≦０．３７］、を特徴とするプラズマディスプレイパネル。
【請求項１５】
請求項９〜１４のいずれか一項に記載のプラズマディスプレイパネルにおいて、
前記セルの開口部は、四方をボックス型の隔壁により囲まれて成る構造であり、
前記電極として、前記セルの開口部の上に配置される不透明電極を有すること、を特徴とするプラズマディスプレイパネル。
【請求項１６】
請求項９〜１５のいずれか一項に記載のプラズマディスプレイパネルにおいて、
前記隔壁の表面の拡散反射率が１０％以下であること、を特徴とするプラズマディスプレイパネル。
【発明の詳細な説明】
【技術分野】
【０００１】
本発明は、プラズマディスプレイパネル（ＰＤＰ）及びそれを備える表示装置（プラズマディスプレイ装置：ＰＤＰ装置）に関し、特に、発光効率等に係わるセル（画素等）の構造等の技術に関する。
【背景技術】
【０００２】
ＰＤＰ装置、液晶ディスプレイ（ＬＣＤ）、有機ＥＬ等のフラットパネルディスプレイでは、性能やコストの競争が激しく、特に、ＰＤＰの性能としては、低電力化、高輝度化、高コントラスト化が要求されている。これら性能を向上するためには、基本的には発光効率あるいは放電効率を向上させることが有効である。
【０００３】
特開２００７−１８４２８２号公報（特許文献１）（特に図４ａ）には、放電効率を向上させる技術について開示されている。具体的には、セル（隔壁により区画される単位放電セル）における、「単位放電空間の面積」対「単位放電セルの面積」の比率（［単位放電空間の面積］／［単位放電セルの面積］）を、０．４５以上０．５９以下、とするセル構造に関する技術が提案されている。このような構成とすることで、放電効率を向上させ、また同時にパネルの外部光反射率を低減し、コントラスト特性を向上させる旨が記載されている。なお、上記「単位放電セルの面積」とは、隣接する隔壁の中央線の間隔により規定されており、上記「単位放電空間の面積」とは、隣接する隔壁の内側面の間隔により規定されている。また、隔壁の上方にブラック層がある場合、その幅によっても上記面積に影響する旨が記載されている。
【０００４】
また、特開２００５−３２４７８号公報（特許文献２）では、放電のｐｄ積（放電ガス圧力ｐと放電電極間距離ｄとの積）を増大させ、あるいは放電ガス中のキセノン（Ｘｅ）組成比を増大させることにより、発光効率を増大し、一方で、表示放電領域面積率（Ａｄ）を０．０５以上０．４以下とすることで、セット発光効率やセット輝度を増大させ、さらに明室コントラストを増大させる旨が記載されている。なお、上記セットとは、ＰＤＰ（基本パネル、モジュール）にフィルタを加えたものである。上記Ａｄ＝Ｓｄ／Ｓｐ、Ｓｄ：表示放電領域面積、Ｓｐ：表示領域面積である。
【先行技術文献】
【特許文献】
【０００５】
【特許文献１】特開２００７−１８４２８２号公報
【特許文献２】特開２００５−３２４７８号公報
【発明の概要】
【発明が解決しようとする課題】
【０００６】
従来のＰＤＰ（以下単にパネルとも称する）における、発光効率あるいは放電効率の向上に関する方針は、フィルタを除く基本パネル自体（モジュール）の発光効率（後述するモジュール効率：ηmd）を上げると共に、パネルの反射率（後述する反射率：β）を下げることにより、それらの値（比率）から規定される効率を上げる、という方針であった。なお前記特許文献１に記載の効率（放電効率）とは、上記基本パネル自体の発光効率（ηmd）に相当する。
【０００７】
上記従来の方針では、効率（輝度、コントラスト等）の向上のために再検討の余地がある。
【０００８】
本発明の主な目的は、ＰＤＰにおける輝度の向上、及びコントラスト（特に明室コントラスト）の向上を実現できる技術を提供することである。
【課題を解決するための手段】
【０００９】
本願において開示される発明のうち、代表的なものの概要を簡単に説明すれば、次の通りである。本発明では、ＰＤＰの輝度及びコントラスト（特に明室コントラスト）の向上を実現するために、前述の従来の方針とは異なり、以下で定義する「基本発光効率」（ηfn）を向上させる方針及び対応する構造を特徴とする。本発明の方針では、パネル自体の発光効率（ηmd）ではなく、その代わり、パネル反射率（β）と、その値から規定される基本効率（ηfn）を上げることにより表示性能を向上させる、という方針である。
【００１０】
「基本発光効率」（ηfn）の基本的な定義は、ηfn＝ηmd／√β、である（ηmd：モジュール効率：、β：パネル反射率）。
【００１１】
「基本発光効率」（ηfn）を向上させる手段（形態）として以下を有する。基本的な特徴としては、セルを視点（前面）側から見た時の面積に関して、セル面積に対するセル開口部の面積（蛍光体の面積と対応関係有り）の比率（開口率）によって条件を規定するものである。セルの開口率を下げる条件により、反射率（β）を大きく下げることで、基本発光効率（ηfn）を上げる。更に、精度をより高めたい場合は、開口部の上に重なる、前面基板構造体側の不透明電極等の構造も考慮した開口率の条件によって規定するものである。
【００１２】
（１）本形態のＰＤＰは、放電を形成するための放電ガスが封入された放電空間が形成される基板構造体（例えば前面基板構造体と背面基板構造体）と、前記放電空間で隔壁により区画される複数のセル（画素、放電セル）と、前記隔壁間に形成される蛍光膜（放電で発生する紫外線による励起で可視光を発光する蛍光体から構成される蛍光膜）と、前記放電空間に隣接する誘電体層と、前記セルに電圧を印加するための電極と、を少なくとも有するＰＤＰである。
【００１３】
そして、前記セルを視点側から見た平面における当該セルの開口部の構造に関して、特に背面基板構造体側の隔壁等の構造を考慮した第１の開口部の構造（平面ｂ対応）に関して、前記セルのピッチ面積Ｓpitchと、前記セルの開口部の面積Ｓcellとを用いて、第１の開口率（セル開口率）Ａcell＝Ｓcell／Ｓpitchとしたとき（式（１９））、例えば［０．２５≦Ａcell≦０．５５］（条件１−２）（Ａcellが０．２５以上且つ０．５５以下）を特徴とする。
【００１４】
（２）本形態のＰＤＰは、前記セルを視点側から見た平面における当該セルの開口部の構造に関して、前記セルの開口部の垂直方向の長さＣｙと水平方向の長さＣｘとを用いて、アスペクト比ＡＲ＝Ｃｙ／Ｃｘとしたとき、［１．３５≦ＡＲ≦２．９２］（条件３−２）、を特徴とする。
【００１５】
（３）本形態のＰＤＰは、前記セルを視点側から見た平面における当該セルの開口部の構造に関して、特に背面基板構造体側の隔壁等の構造による第１の開口部の構造に加え、前面基板構造体側の電極等の構造を考慮した第２の開口部の構造（平面ａ対応）に関して、前記セルのピッチ面積Ｓpitchと、前記セルの開口部の面積Ｓcellと、前記セルの開口部の面積Ｓcellから当該開口部の上に重なる不透明部の面積を差し引いた面積（パネル開口部の面積）Ｓpanelとを用いて、第２の開口率（パネル開口率）Ａpanel＝Ｓpanel／Ｓpitchとしたとき（式（２０））、［０．１４≦Ａpanel≦０．４５］（条件２−２）、を特徴とする。
【００１６】
上記各形態で、例えば、前記セルの開口部は、四方をボックス型の隔壁により囲まれて成る構造（ボックス型のセル構造）である。また例えば、前記電極として、前記セルの開口部の上に配置される不透明電極を有する。また例えば、前記隔壁の表面の拡散反射率が２０％以下である。
【００１７】
上記構成により、［コントラスト］×［輝度］は［基本発光効率（ηfn）］の二乗に比例するという関係があるから、基本発光効率（ηfn）を上げることにより、コントラストまたは輝度を上げることが実現できる。またそれらを上げる配分については、適宜、設計上の選択が可能である。
【発明の効果】
【００１８】
本願において開示される発明のうち、代表的なものによって得られる効果を簡単に説明すれば以下の通りである。本発明の代表的な実施の形態によれば、ＰＤＰに係わり、基本発光効率を向上することができ、これにより、輝度の向上、コントラスト（特に明室コントラスト）の向上を可能とする。
【図面の簡単な説明】
【００１９】
【図１】本発明の実施例１のＰＤＰの構成を示す図であり、左側はセルの開口部を含む平面（ｘ−ｙ）、右側はそのＡ−Ａ’断面（ｙ−ｚ）を示す。
【図２】本発明の実施例２のＰＤＰの構成を図１と同様に示す図である。
【図３】本発明の実施例１のＰＤＰの変形例の構成を図１と同様に示す図である。
【図４】本発明及び実施例に係わり、基本発光効率を向上できる条件について、ＰＤＰのセル開口率（Ａcell）の数値範囲を検討したグラフ（Ａcell−｛ηmd，β，ηfn｝相対値）を示す図である。
【図５】本発明及び実施例に係わり、基本発光効率を向上できる条件について、ＰＤＰのパネル開口率（Ａpanel）の数値範囲を検討したグラフ（Ａpanel−｛ηmd，β，ηfn｝相対値）を示す図である。
【図６】本発明及び実施例に係わり、基本発光効率を向上できる条件について、ＰＤＰのアスペクト比率（ＡＲ）の数値範囲を検討したグラフ（ＡＲ−｛ηmd，β，ηfn｝相対値）を示す図である。
【図７】本発明及び実施例に係わり、図４とは異なる隔壁構造で、基本発光効率を向上できる条件について、ＰＤＰのセル開口率（Ａcell）の数値範囲を検討したグラフ（その２）を示す図である。
【図８】本発明及び実施例に係わり、図５とは異なる隔壁構造で、基本発光効率を向上できる条件について、ＰＤＰのパネル開口率（Ａpanel）の数値範囲を検討したグラフ（その２）を示す図である。
【図９】本発明及び実施例に係わり、図６とは異なる隔壁構造で、基本発光効率を向上できる条件について、ＰＤＰのアスペクト比率（ＡＲ）の数値範囲を検討したグラフ（その２）を示す図である。
【図１０】本発明及び実施例に係わり、基本発光効率の概念を説明するための説明図であり、ＰＤＰ装置及び光線等を横から見た概略を示す。
【図１１】本発明及び実施例に係わり、（ａ）セル開口率（Ａcell）、（ｂ）パネル開口率（Ａpanel）、（ｃ）セル開口部形状及びアスペクト比（ＡＲ）等を説明するための図である。
【図１２】本発明及び実施例との比較のために従来例のＰＤＰ構造を示す図である。
【発明を実施するための形態】
【００２０】
以下、本発明の実施の形態を図面に基づいて詳細に説明する。なお、実施の形態を説明するための全図において、同一部には原則として同一符号を付し、その繰り返しの説明は省略する。なお、説明のため、図示するように、ｘ方向（画面内の横方向）、ｙ方向（画面内の縦方向）、ｚ方向（パネル厚さ方向）を有する。
【００２１】
＜基本発光効率＞
本発明及び実施の形態を理解するために、ＰＤＰにおける新規な性能指標となる「基本発光効率」（ηfn）について説明する。なお、この指標は本発明者等の考察によって、初めてディスプレイの性能指標として見出したものである。
【００２２】
図１０に、人の視点（Ｓ）から観たＰＤＰ装置１００（横から見た概略構成）を示した。このＰＤＰ装置１００は、基本的なパネル（ＰＤＰ）１０１と、その前面側に配置されるフィルタ１０２とを有して構成される。パネル１０１で示す部分が、通常、基本プラズマパネルに相当する部分であり、モジュール等と呼ぶこともある。パネル１０１とフィルタ１０２を合わせた部分をセットなどと呼ぶ。Ｓは人の視点、その矢印は視野方向を示す。
【００２３】
パネル１０１から出射される表示光ｃは、フィルタ１０２を透過して、人の視点（Ｓ）に達する。また、室内照明光のような外光（外光入射光ａ）は、フィルタ１０２を透過して、パネル１０１の表面で反射され、その光（外光反射光ｂ）が、再度フィルタ１０２を透過して、視点（Ｓ）に達する。人の視点（Ｓ）では、パネル１０１からの表示光ｃと外光反射光ｂを見ることになる。なお、暗室環境は、外光入射光ａが無い状態に相当する。以上のような構成で、以下、ＰＤＰ装置１００の性能指標について説明する。
【００２４】
まず、コントラストＣは、次の式（１）で表すことができる。
【００２５】
【数１】
2011003317.tif 000003
【００２６】
Ｂponは、発光表示（あるいは最高輝度表示）をした時の輝度であり、Ｂoffは、黒表示をした時の輝度であり、いずれも［cd/m2］の単位で表現される。通常、輝度は輝度計を用いて測定される。
【００２７】
コントラストＣは、さらに、明室コントラストＣｂ、および暗室コントラストＣｄとして区別して測定され、それぞれ、明るい環境（通常は家庭内居間の明るさ即ち照度１５０〜２００［lx（ルクス）］を想定）、および暗室でのコントラストに対応する。
【００２８】
式（１）で求められるコントラストＣの値が大きいほど、より鮮明で美しい画像を表現できる。即ち、ＰＤＰ装置では、より大きなコントラストが求められており、特に明るい環境下での大きなコントラストＣ（明室コントラストＣｂ）が重要である。
【００２９】
ＰＤＰ装置においては、暗室における黒表示時の輝度Ｂoffは必ずしも０ではない。なぜなら、予備放電期間における予備放電（リセット放電などとも呼ぶ）や、書き込み放電期間における書き込み放電により、必ずしも画像表示に必要でない発光が生じるからである。
【００３０】
従って、ＰＤＰ装置においては、暗室コントラストＣｄも無限大ではなく有限値を有する。この値は、式（２）で表される。
【００３１】
【数２】
2011003317.tif 000004
【００３２】
ただし、Ｂpond、およびＢoffdは、それぞれ、「暗室における発光表示（あるいは最高輝度表示）をした時の輝度［cd/m2］」、および「暗室における黒表示をした時の輝度［cd/m2］」である。暗室コントラストＣｄを大きくするには、Ｂpondを大きくするか、Ｂoffdを小さくするかであり、セル構造および放電特性によって決定される。
【００３３】
一方、明室コントラストＣｂを大きくするために、光の透過特性を制御したフィルタ（図１０のフィルタ１０２）が通常用いられる。以下、フィルタ１０２による明室コントラストＣｂ増大の原理を説明する。
【００３４】
図１０の構成において、視点（Ｓ）方向からパネル１０１画面（表示領域）の表示画像を見た時の明室コントラストＣｂは、概略、下記式（３）となる。
【００３５】
【数３】
2011003317.tif 000005
【００３６】
ただし、Ｂponmは、フィルタ１０２無しで（即ちパネル１０１だけで）暗室における発光表示をした時の輝度（モジュール輝度）［cd/m2］であり、Ｂoffmは、フィルタ１０２無しで（即ちパネル１０１だけで）暗室における黒表示をした時の輝度［cd/m2］である。また、Ｂrは、室内光輝度であり、明室における外光がフィルタ１０２前面（フィルタ１０２の視点（Ｓ）側の面）に仮想的に設置した完全反射面（表面反射率１００％の拡散反射面）で形成する輝度［cd/m2］である。
【００３７】
また、αはフィルタ１０２の透過率であり、βはパネル１０１の表示領域における表示面での表面反射率の平均値、即ち表示領域表面反射率（モジュール反射率、あるいはパネル反射率などと呼ぶ）。明室環境照度をＬ［lx］とすると、Ｂr＝Ｌ／π≒Ｌ／３．１４［cd/m2］である。
【００３８】
表面反射率とは、「ある面（入射面）に入射した光の一部が反射光として出射する状況において、入射光エネルギーに対する反射光エネルギーの割合」である。また、透過率とは、「ある物体の表面（入射面）に入射した光の一部がその物体を透過して透過光として出射する状況において、入射光エネルギーに対する透過光エネルギーの割合」である。
【００３９】
表面反射率および透過率ともに、入射面の任意の場所において入射光の波長程度の精度で場所を特定して定義および測定することが原理的に可能である。通常は、表面反射率および透過率ともに、表面反射率測定器および透過率測定器を用いて入射面の場所の関数として測定される。また、通常は、表面反射率、透過率ともに、入射光の波長の関数である。従って、式（３）の表面反射率βおよび透過率αは、可視光波長の範囲において室内光の波長分布スペクトラムと人間の視感度を考慮して決定される平均値である。さらに簡便には、人間の視感度の大きな波長範囲、即ち５００nm〜６００nmの波長範囲における表面反射率および透過率の平均値である。また、式（３）においてフィルタ表面での可視光の反射は無いと仮定した。
【００４０】
式（３）において、Ｂr＝０としたＣｂは、暗室コントラストＣｄを与え、式（４）となる。
【００４１】
【数４】
2011003317.tif 000006
【００４２】
式（３）において、通常の明室条件（Ｌ＝１５０〜２００）では、下記式（５）である（＞＞：非常に大きい、＜＜：非常に小さい）。
【００４３】
【数５】
2011003317.tif 000007
【００４４】
従って、式（３）は、下記式（６）となる。
【００４５】
【数６】
2011003317.tif 000008
【００４６】
即ち、Ｂponm，Ｂr，βが一定のとき、フィルタ透過率αを小さくすると、明室コントラストＣｂはαに反比例して大きくなる。これが、フィルタ１０２により明室コントラストＣｂを増大させる原理である。
【００４７】
次に、発光効率に関する議論を行う。発光効率ηとして、フィルタ１０２を用いずパネル１０１だけの時の発光効率ηm（＝ηmd）と、パネル１０１にフィルタ１０２を設置した時の発光効率ηsを定義することができ、下記式（７），（８）である（単位［lm/W］）。
【００４８】
【数７】
2011003317.tif 000009
【００４９】
【数８】
2011003317.tif 000010
【００５０】
ただし、ηm（ηmd）：フィルタ１０２を用いない発光効率を、モジュール発光効率（パネル発光効率）などと呼ぶ。ηs：フィルタ１０２を用いた発光効率を、セット発光効率などと呼ぶ。
【００５１】
また、Ｓp：発光表示領域の面積（［m2］）であり、Ｐdp：放電電力（パネルの放電空間への投入電力）［W］）である。ただし、発光は完全拡散発光であると仮定した。式（７），（８）は、任意の階調表示時において成立する。
【００５２】
また、フィルタ１０２有りのセット状態で暗室における発光表示をした時の輝度を、セット輝度Ｂpons（［cd/m2］）と呼ぶことにすると、Ｂponsは、下記式（９）である。
【００５３】
【数９】
2011003317.tif 000011
【００５４】
最終的に重要なのは当然セット（ＰＤＰ装置１００）の性能であり、セットのＢＣ積：Ｆbcs（［cd/m2］）、即ち下記式（１０）である。
【００５５】
【数１０】
2011003317.tif 000012
【００５６】
セットのＢＣ積Ｆbcsを増大させることが、高輝度かつ高コントラストなＰＤＰを実現することになる。
【００５７】
式（６），（９），（１０）より、下記式（１１）である。
【００５８】
【数１１】
2011003317.tif 000013
【００５９】
式（１１），（７）を用いて、下記式（１２）となる。
【００６０】
【数１２】
2011003317.tif 000014
【００６１】
即ち、下記式（１３），（１４），（１５）となる。Ａ：駆動および環境で定まる係数（［W×cd0.5/(lm×m)］）であり、ηfn：基本発光効率（［lm/W］）である。
【００６２】
【数１３】
2011003317.tif 000015
【００６３】
【数１４】
2011003317.tif 000016
【００６４】
【数１５】
2011003317.tif 000017
【００６５】
式（１３）〜（１５）より、「放電電力Ｐdpが一定（Ａが一定）の下で、セットのＢＣ積Ｆbcsを増大させるには、基本発光効率ηfnを増大させることが必須であること」がわかる。このことは、本発明者等の考察により初めて明らかになったことである。
【００６６】
式（１５）で定義されるηfnを、「基本」発光効率と称する理由について説明する。式（１５）は、フィルタ無しのモジュール（パネル１０１）の物理量であるモジュール発光効率ηm（ηmd）と、同パネル（１０１）の反射率βとで定義されているが、これと同様の物理量（ηfns）を形式的に下記式（１６）と定義する。ηfns：セットの基本発光効率[lm/W]、βs：セットの反射率である。
【００６７】
【数１６】
2011003317.tif 000018
【００６８】
図１０を参考にして、式（１７）である。
【００６９】
【数１７】
2011003317.tif 000019
【００７０】
よって、式（８），（１６），（１７）より、下記式（１８）となる。
【００７１】
【数１８】
2011003317.tif 000020
【００７２】
即ち、式（１６）で定義されるηfnsは、フィルタの透過率αに関係無く一定となり、その値は式（１５）で定義されるηfnに等しい。この意味で、式（１５）で定義されるηfnを、基本発光効率と称する。
【００７３】
本発明及び実施の形態は、以下で述べる手法（セル構造）によって、この基本発光効率（ηfn）を向上させることにより、ＰＤＰ装置（ＰＤＰ）の性能を向上させるものである。基本発光効率（ηfn）を向上できれば、式（１０）に示すように、その向上分を輝度（Ｂpons）向上やコントラスト（Ｃｂ）向上などの性能に振り分けることができる。
【００７４】
＜開口率の定義＞
本発明では、基本発光効率（ηfn）を向上させるために、低開口率セル構造を提案する。本明細書では、「開口率」について、第１の開口率：セル開口率Ａcellと、第２の開口率：パネル開口率Ａpanelとの２つの重要なパラメータを定義する。図１１を用いて各パラメータを説明する。図１１（ａ）はＡcell、図１１（ｂ）はＡpanel、図１１（ｃ）は開口部形状及びＡＲ等に関する説明図である。１４はセル（画素）、１５はそのうちの開口部（蛍光体領域）を示す。
【００７５】
図１１（ａ）において、セル開口率Ａcellは、隔壁等を含む背面基板構造体におけるセル（１４）のピッチ面積（Ｓpitch）に対するセルの開口部（１５）の面積（Ｓcell）の比率であり、背面基板構造体側に形成されるセルの開口部（隔壁等により規定される）によって決まるパラメータである。セルの開口部（１５）の上、前面基板構造体側に配置される電極部等の面積は、Ａcellの計算に考慮されない。
【００７６】
図１１（ａ）で示されるように、背面基板構造体側において、セル１４のピッチ面積をＳpitchと定義し、セル開口部１５の面積をＳcellと定義すると、セル開口率Ａcellは、次の式（１９）で表される。
【００７７】
【数１９】
2011003317.tif 000021
【００７８】
なお、セル開口部１５が理想的に長方形の場合（図１１（ａ））には、下記式（１９’）が成立する。Ｃｘ，Ｃｙは、セル開口部１５の長方形における横方向ｘ（短辺）の長さ、縦方向ｙ（長辺）の長さである。Ｐｘ，Ｐｙは、セル（画素）１４の横方向ｘのピッチの長さ、縦方向ｙのピッチの長さである。
【００７９】
【数２０】
2011003317.tif 000022
【００８０】
一方、パネル開口率Ａpanelは、前面基板構造体側に配置された電極等の不透明部材の領域の面積も含めて考えた開口率である。セル開口部１５の面積Ｓcellから、セル開口部１５上に位置するバス電極などの不透明電極部の面積（Ｓblackとする）を差し引いた面積であるパネル開口面積Ｓpanel（＝Ｓcell−Ｓblack）を、ピッチ面積Ｓpitchで除した値が、Ａpanelとなる（Ａpanel＝（Ｓcell−Ｓblack）／Ｓpitch）。パネル開口面積Ｓpanelは、視野（Ｓ）側から見える放電空間の領域を視野面に投影させた領域の面積となる。
【００８１】
なお上記でいう「セル開口部」等は主に背面基板構造体側の構造を考えて、また、「パネル開口部」等は前面基板構造体側も含めたパネル全体の構造を考えて、そのように呼称している。
【００８２】
パネル開口率Ａpanelは、式（２０）で表すことができる。また、セル開口部１５上の不透明電極部を考慮した場合、式（２０’）となる。なお、式（２０），（２０’）は、セル開口部１５が理想的に長方形の場合（図１１（ａ），（ｂ））である。
【００８３】
図１１（ｂ）の場合、セル開口部１５の上（ｚ方向）に、セルの放電のための電極対（Ｘ電極、Ｙ電極）を構成する不透明金属バス電極（幅：ｗ、間隔：ｄ）の部分が重なっている。式（２０’）では、当該不透明電極部の面積を除くものであり、パネル開口面積Ｓpanel＝Ｓcell−Ｓbus＝Ｃｘ×（Ｃｙ−２ｗ）である。
【００８４】
【数２１】
2011003317.tif 000023
【００８５】
【数２２】
2011003317.tif 000024
【００８６】
通常（精度を高める場合）、当該不透明電極部の面積も考慮するため、セル開口率（Ａcell）に比べてパネル開口率（Ａpanel）は低い値となる。また、同じセル開口率（Ａcell）であっても、当該電極の形状や幅などによって、パネル開口率（Ａpanel）は異なってくる。さらに、上記電極以外にも、ブラックマトリクスなどの不透明部が配置されて、セルの放電領域（セル開口部１５）の一部が視野側から見えない場合には、その面積についても上記電極面積（Ｓblack）と同様に差し引いてパネル開口率（Ａpanel）を計算する。
【００８７】
従来の代表的なＰＤＰ装置では、図１２に示すようなセル等の構造となっている。この構造において、上記セル開口率（Ａcell）およびパネル開口率（Ａpanel）を計算すると、それぞれ、０．７０以上、０．６０以上である。
【００８８】
＜低開口率セル技術による基本発光効率向上の考え方＞
本発明は、上述した基本発光効率（ηfn）のための技術であり、低開口率セル構造（セル開口率（Ａcell）やパネル開口率（Ａpanel）を低くしたセル構造）により、基本発光効率（ηfn）の向上を実現する。これは、図１（実施例１）に示すように、図１２のような従来例に比べて、セル１４の開口部１５を小さくする技術である。セル１４の開口部１５を小さくすることにより、視野（Ｓ）側から見える蛍光膜（セル開口部１５に形成されている）の面積が小さくなる。パネルを構成する部材のうち蛍光膜の反射率は非常に高いため、この蛍光膜の面積を低減できることは、パネル反射率βの大きな低下につながる。これは、式（１８）からもわかるように基本発光効率（ηfn）の向上につながる。
【００８９】
一方、セル開口部１５を小さくすることは、放電空間（セルの放電領域）が小さくなることになり、結果として、従来指標の発光効率（ηmd）が低下することが考えられる。これは、基本発光効率（ηfn）の低下につながる懸念があるが、基本発光効率（ηfn）は、式（１８）で示すように、反射率βと発光効率ηmdの兼ね合いで決まるので、この発光効率ηmdの低減以上に反射率βを低減することができれば、基本発光効率（ηfn）を向上させることができる。本発明者等は、この点に注目して、セル開口部１５が小さい、即ち基本発光効率（ηfn）が高いＰＤＰについて検討した。その結果の一例を図４に示した。
【００９０】
図４のグラフにおいて、横軸のセル開口率（Ａcell）と、縦軸の発光効率（ηmd）及び反射率（β）等の相対値とを示している。また、それらの値（ηmd，β）から算出される基本発光効率（ηfn）についても示している。ここでは、縦軸の値は、図１２に示す現行（現在一般的な従来例）のＰＤＰ（ＰＤＰ装置）のセル構造（セル開口率：０．７３）を基準とした相対値（比率）で表している。
【００９１】
このグラフから、セル開口率（Ａcell）の領域（数値範囲）を、大きく３つの領域に分類する。即ち、図示するように、セル開口率（Ａcell）の大きい領域から順に、Ａ，Ｂ，Ｃとする。
【００９２】
領域Ａでは、セル開口率（Ａcell）が小さくなるに伴って（例えば０．７→０．３）、発光効率（ηmd）は徐々に小さくなるが（例えば１．０→０．９５）、反射率（β）は、その発光効率（ηmd）低減以上に小さくなる（例えば１．０→０．６）。そのため、基本発光効率（ηfn）は徐々に大きくなっていく（例えば１．０→１．２）。ここで、隔壁の拡散反射がパネル反射率（β）に大きく影響するが、本検討では、拡散反射率が２０％の隔壁の場合である。
【００９３】
次に、領域Ｃでは、発光効率（ηmd）はほぼ０となる。これは、放電が安定的に維持されるのに必要といわれる放電空間（放電領域）を確保できていないためである。プラズマディスプレイのような構造の場合、放電を安定的に保持するための目安であるデバイ長は、１０−５ｍから１０−４ｍ程度といわれており、少なくとも放電空間（放電領域）の幅として１００μｍ以上が必要である。このことは例えば、J.Plasma Fusion Res Vol.79, No.4に記載されている。
【００９４】
領域Ｂでは、領域Ａと領域Ｃの間を結ぶように、セル開口率（Ａcell）が小さくなるに伴って、発光効率（ηmd）は０に向かうように小さくなる。このセル開口率（Ａcell）の領域では、隔壁（その高さ等の形状）が電極の下側で変化するため、視野（Ｓ）側から見える蛍光膜面積は変化しないように見え、そのため、反射率（β）はセル開口率（Ａcell）が小さくなっても変化しない。従って、この領域Ｂにおいては、基本発光効率（ηfn）は、発光効率（ηmd）の低下に伴って、急激に小さくなる。
【００９５】
このことから、従来に比べ、基本発光効率（ηfn）の向上を見込める領域は、Ａであり、その中でも、現行より高い基本発光効率（ηfn：１．０よりも大きい値）を得るためには、セル開口率（Ａcell）が０．２４以上、０．７３未満の範囲となる（条件１−１：０．２４≦Ａcell＜０．７３）。
【００９６】
さらに、少なくとも人間の眼でその効果を検知するためには、基本発光効率（ηfn）が１．０３以上の場合（ηfn≧１．０５）には、セル開口率（Ａcell）は、図４中のＲ１の範囲、即ち０．２５以上０．５５以下の範囲であることが望ましい（条件１−２：０．２５≦Ａcell≦０．５５）。
【００９７】
また、確実に人間の眼でその効果を検知するためには、基本発光効率（ηfn）として１．１以上が必要であり（ηfn≧１．１）、そのためには、特に、セル開口率（Ａcell）の範囲は、Ｒ２の範囲、即ち０．２５以上０．４６以下の範囲とすることが必要である（条件１−３：０．２５≦Ａcell≦０．４６）。
【００９８】
図５は、図４の各種データを、横軸にパネル開口率（Ａpanel）をとって同様に示したものである。ここでは、電極の幅（ｗ）は５０μｍとなっている。図５で、前述同様に、現行よりも高い基本発光効率（ηfn＞１．０）を得るためには、パネル開口率（Ａpanel）が０．１４以上０．６０未満の範囲となる（条件２−１：０．１４≦Ａpanel＜０．６０）。
【００９９】
さらに、基本発光効率（ηfn）が１．０５以上の場合（ηfn≧１．０５）には、パネル開口率（Ａpanel）は、図５中のＲ１の範囲、即ち０．１４以上０．４５以下の範囲であることが望ましい（条件２−２：０．１４≦Ａpanel≦０．４５）。
【０１００】
また、確実に人間の眼でその効果を検知するためには、基本発光効率（ηfn）として１．１以上が必要であり（ηfn≧１．１）、そのためには、特に、パネル開口率（Ａpanel）の範囲は、Ｒ２、即ち０．１４以上０．３５以下の範囲とすることが必要である（条件２−３：０．１４≦Ａpanel≦０．３５）。
【０１０１】
またさらに、図６は、上記データについて、同様に、横軸をアスペクト比（ＡＲ）で示したものである。アスペクト比（ＡＲ）は、図１１に示すＣｘとＣｙの比率（Ｃｙ／Ｃｘ）（なおＣｙ＞Ｃｘ）として示される値（一般的な長短比率）である。なお、セル開口部１５が理想的に長方形の場合（図１１（ａ）等）には、Ｃｘ，Ｃｙは一意に決まるが、製造プロセスによっては、セル開口部１５が長方形にならない場合も当然存在する。この場合には、例えばそれぞれの方向で最も長い部分の長さをＣｘ，Ｃｙとする。即ち、図１１（ｃ）のように、セル開口部１５が楕円の場合には、図示する部分でＣｘ，Ｃｙを定義する。
【０１０２】
現行よりも高い基本発光効率（ηfn＞１．０）を得るためには、アスペクト比ＡＲが１．３２以上３．７２未満の範囲となる（条件３−１：１．３２≦ＡＲ＜３．７２）。また、基本発光効率（ηfn）が１．０５以上の場合（ηfn≧１．０５）には、アスペクト比ＡＲは、図６中のＲ１の範囲、即ち１．３５以上２．９２以下の範囲であることが望ましい（条件３−２：１．３５≦ＡＲ≦２．９２）。また、確実に人間の眼でその効果を検知するためには、基本発光効率（ηfn）として１．１以上が必要であり（ηfn≧１．１）、そのためには、アスペクト比ＡＲの範囲は、図６中のＲ２、即ち１．３８以上２．５６以下の範囲とすることが必要である（条件３−３：１．３８≦ＡＲ≦２．５６）。
【０１０３】
以上（図４〜図６）の検討（試作したＰＤＰ構成例）は、隔壁の拡散反射率が２０％以下の場合である。隔壁の拡散反射率がさらに低い場合、例えば１０％以下のような場合（例えば黒リブ構造）には、同じようにセル開口部１５の面積が縮小すると、隔壁面積が増えるために、パネル反射率低減効果が大きくなる。このとき、必要なセル開口率（Ａcell）、パネル開口率（Ａpanel）、アスペクト比（ＡＲ）の範囲は、上述した範囲よりも広くなる。具体的には、それぞれ、図７，図８，図９に示す範囲となる。それぞれ、基本発光効率（ηfn）として、１．０５以上を得るための範囲をＲ１で示し、１．１０以上を得るための範囲をＲ２として示している。
【０１０４】
図７では、基本発光効率（ηfn）を、ηfn＞１．０とする場合、セル開口率（Ａcell）は、０．２３以上０．７３未満の範囲となる（条件４−１：０．２３≦Ａcell＜０．７３）。また、ηfn≧１．０５以上とする場合、セル開口率（Ａcell）は、図７中のＲ１の範囲、即ち０．２４以上０．５９以下の範囲が望ましい（条件４−２：０．２４≦Ａcell≦０．５９）。また、ηfn≧１．１以上とする場合、セル開口率（Ａcell）は、Ｒ２の範囲、即ち０．２４以上０．５０以下の範囲が必要である（条件４−３：０．２４≦Ａcell≦０．５０）。
【０１０５】
同様に図８のパネル開口率（Ａpanel）については、基本発光効率（ηfn）を、ηfn＞１．０とする場合、Ａpanelは、０．１４以上０．６０未満の範囲となる（条件５−１：０．１４≦Ａpanel＜０．６０）。また、ηfn≧１．０５以上とする場合、Ａpanelは、図８中のＲ１の範囲、即ち０．１４以上０．４６以下の範囲が望ましい（条件５−２：０．１４≦Ａpanel≦０．４６）。また、ηfn≧１．１以上とする場合、Ａpanelは、Ｒ２の範囲、即ち０．１４以上０．３７以下の範囲が必要である（条件５−３：０．１４≦Ａpanel≦０．３７）。
【０１０６】
同様に図９のアスペクト比ＡＲについては、基本発光効率（ηfn）を、ηfn＞１．０とする場合、ＡＲは、０．２７以上３．７２未満の範囲となる（条件６−１：０．２７≦ＡＲ＜３．７２）。また、ηfn≧１．０５以上とする場合、ＡＲは、図９中のＲ１の範囲、即ち１．３０以上２．９２以下の範囲が望ましい（条件６−２：１．３０≦ＡＲ≦２．９２）。また、ηfn≧１．１以上とする場合、ＡＲは、Ｒ２の範囲、即ち１．３３以上２．７０以下の範囲が必要である（条件６−３：１．３３≦ＡＲ≦２．７０）。
【０１０７】
＜本発明と従来例との違い＞
なお、従来例である前記特許文献１では、単位放電セルにおける「単位放電空間の面積」対「単位放電セルの面積」比率を小さくすることによって、放電効率を向上する旨が記載されている。ここで述べられている比率は、本発明、明細書におけるセル開口率（Ａcell）に概ね相当する。この従来例によれば、当該開口率の範囲が０．４以上０．５９以下で放電効率（本明細書での発光効率（ηmd）に概ね相当）を向上させる旨が記載されているが、本発明では、この領域では発光効率（ηmd）は低下する。
【０１０８】
しかし、本発明では、前述のように、発光効率（ηmd）を向上させるのではなく（発光効率（ηmd）は低下してもよい）、反射率（β）も考慮した基本発光効率（ηfn）を向上することができれば、目的を達成することができる。従って、本発明では、前述のようにセル開口率（Ａcell）は０．２４以上（条件によっては０．２５以上）であればよく、従来例で必要とする開口率範囲とは大きく異なる。
【０１０９】
他の従来例である前記特許文献２では、放電のｐｄ積を増大させ、あるいは放電ガス中のキセノン組成比を増大させることにより、発光効率を増大し、一方で表示放電領域面積比率Ａｄを０．０５以上０．４以下とすることで、セット発光効率やセット輝度を増大させ、さらに明室コントラストを増大させる旨が記載されている。ここで記載されている表示放電領域面積比率は、本発明、明細書でのパネル開口率（Ａpanel）に概ね相当する。この従来例においては、当該パネル開口率が小さくなることによって低下する発光効率を、放電ガスであるキセノン濃度を増加させることにより解決している。即ち発光効率を低減させないことが前提である。
【０１１０】
一方、本発明では、前述のように、基本発光効率（ηfn）を向上できればよく、発光効率（ηmd）は低下してもよい。本発明の前述のセル構造の条件は、この考え方に基づき新規に規定した数値範囲であり、特許文献２に示されている範囲では、本発明で得られる効果が生まれない範囲も含まれている。
【０１１１】
上述した実施の形態における考え方及びＰＤＰ構成例に基づいた、更に詳細な実施例について、以下説明する。
【０１１２】
（実施例１）
図１等を用いて、本実施例１のＰＤＰ１０を説明する。図１において、実施例１のＰＤＰ１０のセル１４等の構造を示している。本セル構造におけるサイズ等の構成は、図１に示す通りである。左側はセル開口部１５（平面ｂに対応）を含む平面（ｘ−ｙ）、右側はＡ−Ａ’断面（ｙ−ｚ）である。実施例１のＰＤＰの基本的な構造は、セル開口部１５のサイズ等の条件を除けば、従来例と同様である。また、実施例１のＰＤＰ１０は、比較的透明な（例えば拡散反射率が２０％）ボックス型の隔壁８の構造、及びストレートな電極２（不透明金属バス電極）を持つ構造の場合である。
【０１１３】
本セル構造において、前記図１１の各サイズは、Ｐｘ＝０．１９２mm、Ｐｙ＝０．５８０mm、Ｃｘ＝０．１４０mm、Ｃｙ＝０．４２６mmである。また、前面基板構造体１１の各電極２（不透明金属バス電極）の幅（ｗ）は０．０５０mmであり、セル開口部１５における対の電極２の間隔（ｄ）は０．１１０mmである。なお透明電極などについては図示していないがあっても構わない。
【０１１４】
このような構成のセルでは、前述したセル開口率Ａcell、パネル開口率Ａpanel、アスペクト比ＡＲ（Ｃｙ／Ｃｘ）は、それぞれ、Ａcell＝０．５４，Ａpanel＝０．３７，ＡＲ＝３．０４となる。
【０１１５】
なお、本実施例１における電極２の構造とは異なる電極構造、例えば図３に示すような構造としても、同様の効果を得ることができる。図１に対し図３では、セル開口部１５における対の電極２において、ストレートな電極部（電極２）はセル外側寄りに配置されており、セル内側方向へ不透明な張り出し部を持つ構造である。
【０１１６】
上記図１のような複数のセルを有するＰＤＰ１０において、発光効率（ηmd）及びパネル反射率（β）を測定した結果、発光効率（ηmd）は、従来例（図１２）の値に対する比率（相対値）として、０．９７（少し減少）となるが、パネル反射率（β）が０．８１（ηmdよりも大きく減少）となるため、結果として、基本発光効率（ηfn）は、従来に対する１．０８（増加）となり、即ち８％の向上効果が得られた。
【０１１７】
図１のＰＤＰ１０の詳細を説明しておく。本ＰＤＰ１０は、前面基板構造体１１、背面基板構造体１２から成る。前面基板構造体１１は、前面基板（ガラス基板）１、電極２、誘電体層３、保護層４等から成る。前面基板１の表面（平面ａ）には、従来、フィルタ（１０２）等が接続される。前面基板構造体１１の放電空間１３側の平面ｂは、背面基板構造体１２側のセル構造におけるセル開口部１５に対応する平面である。セル開口部１５上、電極２が重なっている。背面基板構造体１２は、背面基板（ガラス基板）５、アドレス電極６、誘電体層７等から成る構造上に、隔壁８や蛍光体（蛍光膜）９が形成される放電空間１３（基板間領域）を有する。放電空間１３では放電ガスが充填される。セル（画素）１４の四方を囲む（セル開口部１５を規定する）、ボックス型の隔壁８の内側の領域（底面及び側面）には、蛍光体９が形成されている。
【０１１８】
なお、セル（画素）１４は、表示領域全体を単純にセル数で配分して得られる領域であり隔壁８領域を含んでいる。ボックス型の隔壁８の場合、隣接する隔壁８部の中心線同士の間隔（ピッチ）が、セル１４の縦横の長さ（Ｐｘ，Ｐｙ）である。
【０１１９】
（実施例２）
図２に、実施例２のＰＤＰ１０のセル１４等の構造を示す。本構造は、セル開口部１５のサイズ等の条件を除けば、従来例と同様である。サイズは、Ｐｘ＝０．１９２mm、Ｐｙ＝０．５８０mm、Ｃｘ＝０．１４４mm、Ｃｙ＝０．３８８mmであり、また、前面基板構造体１１の各電極２（バス電極）の幅（ｗ）は０．０５０mmあり、セル開口部１５における対の電極２の間隔（ｄ）は０．１１０mmである。
【０１２０】
このような構成のセルでは、前述したセル開口率Ａcell、パネル開口率Ａpanel、アスペクト比ＡＲは、それぞれ、Ａcell＝０．５０、Ａpanel＝０．４１、ＡＲ＝２．６９となる。
【０１２１】
このようなセルを有するＰＤＰ１０において、実施例１と同様に各値の測定結果では、従来例の値に対する比率として、発光効率（ηmd）が０．９５、パネル反射率（β）が０．７８となり、結果、基本発光効率（ηfn）が１．０８、即ち８％の向上効果が得られた。
【０１２２】
（実施例３）
実施例３のＰＤＰ１０のセル１４等の構造においては、隔壁８構造（材料）を除けば、実施例１，２と同様である。実施例３の隔壁８には、拡散反射率の低い（例えば拡散反射率が１０％）、黒リブ材を用いた。これは、通常の硼珪酸ガラスにマンガンなどの着色材が含まれており、反射率が低くなっている。サイズは、Ｐｘ＝０．１９２mm、Ｐｙ＝０．５８０mm、Ｃｘ＝０．１４４mm、Ｃｙ＝０．３８８mmであり、また、前面基板構造体１１の電極２の幅（ｗ）は０．０５０mmであり、電極対の間隔（ｄ）は０．１１０mmである。このような構成のセルでは、前述したセル開口率Ａcell、パネル開口率Ａpanel、アスペクト比ＡＲは、それぞれ、０．５０、０．３７、２．６９である。
【０１２３】
このようなセルを有するＰＤＰ１０において、同様に各値の測定結果では、従来例の値に対する比率として、発光効率（ηmd）が０．９２、パネル反射率（β）が０．７１となり、結果、基本発光効率（ηfn）が１．１０、即ち１０％の向上効果が得られた。
【０１２４】
以上のような各実施例により、本ＰＤＰ１０（ＰＤＰ装置）の輝度、あるいは明室コントラストを向上することができる。
【０１２５】
（従来例）
実施例に対する比較のために示す従来例のＰＤＰの構造は、図１２の通りである。Ｐｘ＝０．１９２mm、Ｐｙ＝０．５８０mm、Ｃｘ＝０．１４８mm、Ｃｙ＝０．５５０mmであり、また、前面基板構造体のバス電極の幅は０．０５０mmであり、電極対の間隔は０．１１０mmである。このような構成のセルでは、前述したセル開口率Ａcell、パネル開口率Ａpanel、アスペクト比ＡＲは、それぞれ、０．７３、０．６０、３．７２となる。このようなセルを有するＰＤＰにおける発光効率（ηmd）、パネル反射率（β）、基本発光効率（ηfn）等を基準として、各実施例での発光効率（ηmd）、パネル反射率（β）、基本発光効率（ηfn）の相対値を算出した。
【０１２６】
以上、本発明者によってなされた発明を実施の形態に基づき具体的に説明したが、本発明は前記実施の形態に限定されるものではなく、その要旨を逸脱しない範囲で種々変更可能であることは言うまでもない。
【０１２７】
他の実施の形態として、例えば、セル開口部１４の上に重なる不透明部として、バス電極以外にも、前述のブラックマトリクスなどがある形態も可能である。また、隔壁８はボックス型以外にも可能である。
【産業上の利用可能性】
【０１２８】
本発明は、ＰＤＰ装置に利用可能である。
【符号の説明】
【０１２９】
１…前面基板（ガラス基板）、２…電極、３，７…誘電体層、４…保護層、５…背面基板（ガラス基板）、６…アドレス電極、８…隔壁（リブ）、９…蛍光体（蛍光膜）、１０…ＰＤＰ（パネル）、１１…前面基板構造体、１２…背面基板構造体、１３…放電空間、１４…セル（画素）、１５…セル開口部、１００…ＰＤＰ装置、１０１…ＰＤＰ、１０２…フィルタ。
【図１】
2011003317.tif 000025
【図２】
2011003317.tif 000026
【図３】
2011003317.tif 000027
【図４】
2011003317.tif 000028
【図５】
2011003317.tif 000029
【図６】
2011003317.tif 000030
【図７】
2011003317.tif 000031
【図８】
2011003317.tif 000032
【図９】
2011003317.tif 000033
【図１０】
2011003317.tif 000034
【図１１】
2011003317.tif 000035
【図１２】
2011003317.tif 000036